(57)【要約】【課題】引戸の跳ね返りの防止を設置規制や引戸の構造の複雑化を招かずに行え、なおかつ、引戸を閉じるときと開くときの操作力・操作感が一定し、耐久性にも優れる引戸用の跳ね返り防止装置を提供する。【解決手段】引戸の扉に直接又は間接的に取り付けるローラアセンブリ１０と、レールに固定されるローラ受け具とからなり、ローラアセンブリ１０は、ローラ支持枠１１と、支軸１６（図のそれは段付きピン）と共に上下動する係止ローラ１２と、弾性体１３と、反力受け部材１４とからなり、ローラ受け具は、レール長手方向の両端部に斜面を有し、ローラアセンブリ１０がローラ受け具の設置点を通過するときに係止ローラ１２がローラ受け具の斜面に押し下げられてローラ受け具を乗り越え、その係止ローラ１２がローラ受け具に引き留められて当該係止ローラ１２の逆行が阻止されるように跳ね返り防止装置を構成した。【選択図】図２
2020041372.tif 000002
【特許請求の範囲】
【請求項１】
扉（３０）に取り付けた戸車（３３）を戸枠（３８）に支持されたレール（３７）で案内して扉（３０）を開閉する引戸に設けてその引戸の移動終点における跳ね返りを防止する装置であって、
前記扉（３０）に直接又は間接的に取り付けるローラアセンブリ（１０）と、レール（３７）に固定される２個のローラ受け具（２０）とからなり、
前記ローラアセンブリ（１０）は、下端から上端近くまで垂直に延びるガイド溝（１５）がレール長手方向の中央部に位置を対応させて設けられている平行配置の左右の側板（１１ａ）と、その左右の側板（１１ａ）のレール長手方向の中央部を除く領域の下端を繋ぐ底板（１１ｂ）とからなるローラ支持枠（１１）と、
前記ガイド溝（１５）に両端を上下動可能に入り込ませる支軸（１６）を有し、その支軸（１６）に支持されて支軸（１６）と共に上下動する係止ローラ（１２）と、
その係止ローラ（１２）を上向きに付勢する弾性体（１３）と、
前記側板（１１ａ）に支持されて前記弾性体（１３）の反力を受ける反力受け部材（１４）とからなり、
前記２個のローラ受け具（２０）は、相反する向きに傾いた斜面（２０ａ、２０ｂ）をレール長手方向の両端部に有し、
前記ローラアセンブリ（１０）が前記ローラ受け具（２０）の設置点を通過するときに前記係止ローラ（１２）が前記斜面（２０ａ、２０ｂ）の片方によって押し下げられて前記ローラ受け具（２０）を乗り越え、その係止ローラ（１２）が前記ローラ受け具（２０）に引き留められて当該係止ローラ（１２）の逆行が阻止されるように構成された引戸の跳ね返り防止装置。
【請求項２】
前記引戸が、戸枠（３８）の上框（３８ａ）に支持されたレール（３７）で戸車（３３）を案内して扉（３０）を開閉する上吊り引戸であり、
前記扉（３０）の上部に設けられた、前記戸車（３３）を有する戸車ユニット（３１）に前記ローラアセンブリ（１０）が取り付けられ、前記２個のローラ受け具（２０）が前記レール（３７）に固定されている請求項１に記載の引戸の跳ね返り防止装置。
【請求項３】
前記ローラアセンブリ（１０）が、前記ローラ支持枠（１１）を前記戸車ユニット（３１）の戸車支持枠（３２）の内側に挿入して前記戸車ユニット（３１）に取り付けられている請求項２に記載の引戸の跳ね返り防止装置。
【請求項４】
前記引戸が、扉（３０）の下部に取り付けた戸車を戸枠（３８）の敷居に敷設された第１のレール（３９ａ）で案内して扉（３０）を開閉する下荷重式の引戸であり、
前記ローラアセンブリ（１０Ａ）が前記扉（３０）の上部に取り付けられ、前記２個のローラ受け具（２０Ａ）が、前記戸枠（３８）の上框（３８ａ）に支持される第２のレール（３９ｂ）を設けてその第２のレール（３９ｂ）に固定されている請求項１に記載の引戸の跳ね返り防止装置。
【請求項５】
前記弾性体（１３）がねじりコイルばねであり、そのねじりコイルばねのコイル部（１３ａ）に前記係止ローラ（１２）が回転可能に外嵌され、当該係止ローラ（１２）を支える支軸（１６）が前記ねじりコイルばねのコイル部（１３ａ）の内側に挿通され、
前記反力受け部材（１４）は、両端が前記左右の側板（１１ａ）に設けられたピン孔（１１ｃ）に圧入されるピンで構成され、
そのピンの２個が、前記側板（１１ａ）を側方から見た状態で、前記ガイド溝（１５）を境にして対称位置に配置され、そのピンによって前記ねじりコイルばねの両端が支持されている請求項１〜４のいずれかに記載の引戸の跳ね返り防止装置。
【請求項６】
前記２個のローラ受け具（２０）が、レール長手方向両端の斜面（２０ａ、２０ｂ）間に配置される底面（２０ｃ）を有し、その２個のローラ受け具（２０）の前記底面（２０ｃ）が相反する向き、かつ、前記係止ローラ（１２）が係合して引き留められる側で高さが減少する向きに緩やかに傾斜している請求項１〜５のいずれかに記載の引戸の跳ね返り防止装置。
【発明の詳細な説明】
【技術分野】
【０００１】
この発明は、引戸の移動終点での跳ね返りを防止する跳ね返り防止装置に関する。
【背景技術】
【０００２】
引戸には、クローザ（引き込み装置や自閉装置等とも称されている）を備えたものと、備えていないものがある。クローザは、扉が移動終点近くに移動したときに作動して、そこから先の扉の動きを減速し、その扉をゆっくりと移動終点（完全に閉じた位置又は開ききった位置）に移動させるものである。
【０００３】
そのクローザを備えていない引戸は、閉じるとき又は開くときに戸枠に対して勢いよく突き当たると、移動終点から跳ね返される。戸車を採用して移動抵抗を低減した引戸は特に、その傾向が顕著である。
【０００４】
その跳ね返りが起こると、扉の全閉状態や全開状態が保持されない。そこで、引戸の跳ね返りを防止する装置が下記特許文献１〜５などによってこれまでにいくつか提案されている。
【０００５】
特許文献１には、スプリングによって一方向に付勢された、軸支部を支点にして揺動できる移動板で、扉（引戸）に取り付ける戸車の車輪を支持し、さらに、前記車輪の動きを止める制動部材を鴨居に取り付けた引戸の跳ね返り防止装置が示されている。
【０００６】
また、特許文献２には、スプリングによって一方向に付勢された俯仰体に支持される車輪と、その車輪が落ち込む窪所を備えた受皿体を戸枠の上框と引戸に対応させて設けた引戸係止具が示されている。
【０００７】
特許文献３には、主弾性片と副弾性片とからなる片持ち支持の、片端が自由端となっている弾性保持部材を戸枠に固定し、その弾性保持部材に設けられた突出部を戸車で押しのけて前記突出部の背面側に形成された凹部に戸車を侵入させる引戸用ストッパーが示されている。
【０００８】
特許文献４には、特許文献３の弾性保持部材と似た形状の板バネからなる移動抑制手段を備えた引戸の移動抑制機構が示されている。
【０００９】
特許文献５には、湾曲した板バネを、鴨居に取り付けられたレールの端部近くに垂設し、引戸が移動終点に移動したときに前記板バネが引戸に取り付けられたスライダーの溝に挟み込まれる引戸の制動装置が示されている。
【００１０】
特許文献１の跳ね返り防止装置は、戸車の車輪が制動部材の斜面に案内されてスプリングを圧縮しながら変位し、制動部材を乗り越える。そして、引戸が戸当たり柱に当たった位置でその車輪がスプリングの力で変位点から復帰し、これにより、車輪が制動部材に係合して閉側や開側の移動終点（全閉位置と全開位置）に引戸が保持される。
【００１１】
また、特許文献２の引戸係止具は、戸車の車輪が受け皿体の窪所に落ち込むことで、引戸が引き止められる。
【００１２】
特許文献３の引戸用ストッパーは、戸車が凹部に侵入した位置で、前記突出部の戸車による押しのけ時に弾性変形した弾性保持部材が復元し、元の位置に戻った突出部によって戸車が前記凹部内に保持される。
【００１３】
特許文献４の移動抑制機構の移動抑制手段は、１枚の板バネで構成されている。また、その移動抑制手段は、自由端の向きが特許文献３の弾性保持部材とは逆になっており、自由端と戸枠との間に戸車が入り込んで引戸の跳ね返りが防止される。
【００１４】
特許文献５の制動装置は、湾曲した板バネが、スライダーの溝面間に挟み込まれることで移動抵抗が増して引戸の動きが抑制される。
【先行技術文献】
【特許文献】
【００１５】
【特許文献１】特開平１１−２８７０６５号公報
【特許文献２】特開平０７−２３３６７１号公報
【特許文献３】特開平０９−１８９１６８号公報
【特許文献４】特開２０１５−１３２０９５号公報
【特許文献５】特開平０９−２４２４１５号公報
【発明の概要】
【発明が解決しようとする課題】
【００１６】
特許文献１の跳ね返り防止装置は、移動板の揺動中心が車輪に先行して移動するときと、車輪が移動板の揺動中心に先行して移動するときとで、車輪が制動部材を乗り越えるときの抵抗が異なったものになることが考えられる。
【００１７】
即ち、図１８（ａ）に示すように、移動板４０の揺動中心４１が車輪４２に先行する方向に扉３０が移動するときには、車輪４２が引き動かされ、移動板４０の自由端側を押し下げながら制動部材４３の斜面４３ａを転がり降りる。
【００１８】
これに対し、車輪４２が移動板４０の揺動中心４１に先行して移動するときには、図１８（ｂ）に示すように、斜面４３ａに突き当たった車輪４２に対して、移動板４０と共に車輪４２を付勢するスプリング４４の力が斜面を上側に転がる方向に作用して移動板４０の自由端を押し下げる力が弱められる。
【００１９】
この状況の違いにより、移動板の揺動中心が車輪に先行して移動して車輪が制動部材を乗り越えるときの抵抗に比べて、車輪が移動板の揺動中心に先行して移動して制動部材を乗り越えるときの抵抗が大きくなる。
【００２０】
これが原因で、扉（引戸）を閉じるときと開くときの力加減と操作感が異なったものになる。
【００２１】
また、引戸の中には、敷居に設けたレールで戸車を案内する下荷重引戸と、戸枠の上框にレールを設け、そのレールに案内されて走行する戸車を扉の上部に取り付けてその戸車で扉を吊るして移動させるもの（いわゆる上吊り引戸）がある。
【００２２】
このうち、後者の上吊り引戸については、特許文献１に示された跳ね返り防止用の戸車は、扉に埋め込むため、移動板の揺動支点から車輪の支持点までの寸法を大きく確保する必要があり、寸法面での設置規制を受ける。
【００２３】
そのために、使用不可となるケースが生じ、使用可能な場合も、走行用の戸車とは別箇所に設ける必要があるため、引戸の構造が複雑になる。
【００２４】
特許文献２の引戸係止具も、揺動可能な俯仰体で車輪を支持しているので、特許文献１の跳ね返り防止装置と同様の問題が発生する。
【００２５】
特許文献３，４に記載された引戸用ストッパーと移動抑制機構は、戸車の保持部への侵入時と、保持部からの脱出時に板バネに無理な力が加わる。そのため、使用の繰り返しによる板バネの早期の疲労・劣化が考えられ、寿命が短くなる可能性が高い。
【００２６】
特許文献５の引戸の制動装置も、板バネをスライダーで弾性変形させながら挟みつけて扉の動きに抵抗を加えるので、板バネの早期の疲労・劣化が考えられ、寿命が短くなる可能性が高い。
【００２７】
この発明は、引戸の跳ね返りの防止を設置規制や引戸の構造の複雑化を招かずに行え、なおかつ、引戸を閉じるときと開くときの操作力・操作感が一定し、耐久性にも優れる引戸用の跳ね返り防止装置を提供することを目的としている。
【課題を解決するための手段】
【００２８】
上記の課題を解決するため、この発明においては、下記する引戸の跳ね返り防止装置を提供する。
その跳ね返り防止装置は、扉に取り付けた戸車を戸枠に支持されたレールで案内して扉を開閉する引戸に設けてその引戸の移動終点における跳ね返りを防止する装置であって、
前記扉に直接又は間接的に取り付けるローラアセンブリと、レールに固定されるローラ受け具とからなる。
【００２９】
前記ローラアセンブリは、下端から上端近くまで垂直に延びるガイド溝がレール長手方向の中央部に位置を対応させて設けられている平行配置の左右の側板と、その左右の側板のレール長手方向の中央部を除く領域の下端を繋ぐ底板とからなるローラ支持枠と、
前記ガイド溝に両端を上下動可能に入り込ませる支軸を有し、その支軸に支持されて支軸と共に上下動する係止ローラと、
その係止ローラを上向きに付勢する弾性体と、前記側板に支持されて前記弾性体の反力を受ける反力受け部材とからなる。
【００３０】
前記ローラ受け具は、相反する向きに傾いた斜面をレール長手方向の両端部に有し、
前記ローラアセンブリが前記ローラ受け具の設置点を通過するときに前記係止ローラが前記斜面の片方によって押し下げられて前記ローラ受け具を乗り越え、その係止ローラが前記ローラ受け具に引き留められて当該係止ローラの逆行が阻止されるように構成されている。
【００３１】
この跳ね返り防止装置は、跳ね返りを防止する引戸が、戸枠の上框に支持されたレールで戸車を案内して扉を開閉する上吊り引戸である場合には、扉の上部に設けられた、前記戸車を有する戸車ユニットに前記ローラアセンブリを取り付け、前記２個のローラ受け具を、前記レールに固定する。
【００３２】
また、その装置を設置する引戸が、扉の下部に取り付けた戸車を戸枠の敷居に敷設された第１のレールで案内して扉を開閉する下荷重式の引戸である場合には、前記ローラアセンブリを、扉の上部に取り付け、前記２個のローラ受け具を、前記戸枠の上框に支持される第２のレールを設けてその第２のレールに固定する。
【００３３】
前記弾性体は、ねじりコイルばねが好ましい。弾性体としてねじりコイルばねを用いるときには、そのねじりコイルばねのコイル部に前記係止ローラを回転可能に外嵌し、係止ローラを支える支軸を前記ねじりコイルばねのコイル部の内側に挿通する。
【００３４】
そして、前記反力受け部材を両端が前記左右の側板に設けられたピン孔に圧入されるピン（好ましくはスプリングピン）で構成し、そのピンの２個を、前記側板を側方から見た状態で、前記ガイド溝を境にして対称位置に配置してそのピンで前記ねじりコイルばねの両端を支持する。
【００３５】
上吊り引戸については、前記ローラ支持枠を前記戸車ユニットの戸車支持枠の内側に挿入して前記ローラアセンブリを戸車ユニットに取り付けることができる。
【００３６】
戸車ユニットは、戸車支持枠と、戸車と、戸車の位置調整機構を内蔵したハウジングと組み合わせたものである。この戸車ユニットの戸車支持枠は、平行配置の左右の側板と、その左右の側板の下端を連結する底板とで構成された正面視形状がＵ字状の枠になっている。
【００３７】
左右の側板の外面には、レールの長手方向に対して直角向きに突出する支軸を備えており、その支軸に戸車が支持されている。
【００３８】
支軸は、前後、左右の計４箇所に設けられており、そのために、戸車は、１個の戸車ユニットに計４個存在する。
【００３９】
戸車ユニットは、扉の戸先側と戸尻側の上部にそれぞれ設けられている。この発明の装置による扉の跳ね返り防止は、１組のローラアセンブリと２個のローラ受け具のみを利用して跳ね返り防止の目的を達成することができる。
【００４０】
戸先側と戸尻側の戸車ユニットにそれぞれローラアセンブリを取り付け、その２組のローラアセンブリの係止ローラを別箇所に設けられたローラ受け具に同時に係止させることも可能である。ただし、扉の移動抵抗の低減を考えると、１組のローラアセンブリと２個のローラ受け具を組み合わせて用いるのがよい。
【００４１】
ローラアセンブリを戸先側の戸車ユニットのみに取り付け、２個のローラ受け具を、扉が完全に閉じたときと完全に開いたとき（全閉時と全開時）に前記ローラアセンブリの係止ローラが係合して引き留められる位置にそれぞれ配置するのが、最善の利用法である。
【００４２】
なお、この形態の跳ね返り防止装置に利用する２個のローラ受け具は、レール長手方向両端の斜面間に配置される底面を有し、その底面を相反する向き、かつ、前記係止ローラが係合して引き留められる側で高さが減少する向きに緩やかに傾けておくと好ましい。
【発明の効果】
【００４３】
この発明の、引戸の跳ね返り防止装置は、ローラアセンブリの係止ローラが上下に動いてローラ受け具を乗り越えるものになっている。
【００４４】
このために、係止ローラがローラ受け具を相反する向きに走行して乗り越えるときの抵抗に殆ど差が出ず、扉を閉じるときと開くときの力加減と操作感が似たものになる。
【００４５】
また、この発明の跳ね返り防止装置は、ローラアセンブリを引戸の戸車ユニットに取り付けているので、寸法上の設置規制を受けず、引戸の構造が複雑になることもない。
【００４６】
さらに、ローラ受け具に押し動かされた係止ローラを元の位置に復帰させる弾性体は、繰り返し使用による疲労・劣化が板バネに比べて少ないねじりコイルばねや圧縮コイルばねでよく、装置の長寿命化も図れる。
【００４７】
なお、前記弾性体としてねじりコイルばねを用い、そのねじりコイルばねのコイル部に前記係止ローラを回転可能に外嵌し、前記係止ローラを支える支軸を前記ねじりコイルばねのコイル部の内側に挿通し、そのねじりコイルばねの両端をローラ支持枠の左右の側板間に横架したピンで支持した跳ね返り防止装置は、構造を最大限に簡素化でき、低コスト化も図れる。
【００４８】
また、扉の全閉時と全開時に前記ローラアセンブリの係止ローラが係合して引き留められる位置に２個の前記ローラ受け具を設け、その２個のローラ受け具の底面を、相反する向きに、かつ、上面から底面までの高さ寸法が前記係止ローラを引き留める側で減少する向きに傾けた跳ね返り防止装置は、前記係止ローラがローラ受け具の高さ最大部まで移動すると、以後は、係止ローラが勾配のついた底面上を自然に転がり降りる。
【００４９】
そのために、扉は、さほど力を加えなくても全閉位置や全開位置に向けて動く。
【図面の簡単な説明】
【００５０】
【図１】この発明の跳ね返り防止装置の使用の一例を簡略化して示す正面図である。
【図２】この発明の跳ね返り防止装置のローラアセンブリの一例を、上吊り引戸の戸車ユニットに取り付ける前の状態を示す斜視図である。
【図３】図２のローラアセンブリを、上吊り引戸の戸車ユニットに取り付けた状態を示す斜視図である。
【図４】図２のローラアセンブリの分解斜視図である。
【図５】図２のローラアセンブリの縦断側面図である。
【図６】図２のローラアセンブリの平面図である。
【図７】ローラアセンブリの他の例を示す側面図である。
【図８】図７のローラアセンブリの平面図である。
【図９】（ａ）はローラアセンブリに採用したねじりコイルばねの平面図、（ｂ）は同上のねじりコイルばねの正面図である。
【図１０】この発明の跳ね返り防止装置のローラアセンブリを取り付けた戸車ユニットが、扉の全閉点近くまで移動した状態を示す斜視図である。
【図１１】同上のローラアセンブリの係止ローラがレールに固定された扉の閉側のローラ受け具によって最大に押し下げられた状態を示す側面図である。
【図１２】同上のローラアセンブリの係止ローラがレールに固定された扉の閉側のローラ受け具を乗り越えて扉の全閉位置に移動した状態を示す側面図である。
【図１３】図１２の状態を斜め側方から見た状態にして示す斜視図である。
【図１４】ローラ受け具とそのローラ受け具を乗り越えた係止ローラの扉全開時の位置関係を示す側面図である。
【図１５】上吊り引戸のレールの一例を示す端面図である。
【図１６】この発明の跳ね返り防止装置のローラアセンブリのさらに他の例を示す縦断断面図である。
【図１７】この発明の跳ね返り防止装置の他の使用例を簡略化して示す正面図である。
【図１８】（ａ）は従来の跳ね返り防止装置において、移動板の揺動中心が車輪に先行して移動するときの車輪の動きに関する説明図、（ｂ）は、従来の跳ね返り防止装置において、車輪が移動板の揺動中心に先行して移動するときの車輪の動きに関する説明図である。
【発明を実施するための形態】
【００５１】
この発明の引戸の跳ね返り防止装置の実施の形態を、添付図面の図１〜図１７に基づいて説明する。
【００５２】
図１に示すように、例示した引戸の跳ね返り防止装置１は、上吊り引戸の戸車ユニット（上吊り戸車ユニット）３１上に取り付けるローラアセンブリ１０と、レール（上吊りレール）３７に固定される２個のローラ受け具２０とからなる。
【００５３】
レール３７は、戸枠３８の上框３８ａの下面に取り付けられており、このレール３７に戸車ユニット３１が吊り下げられている。
【００５４】
ローラアセンブリ１０は、図２〜図６に詳しく示すように、ローラ支持枠１１と、そのローラ支持枠１１に上下動可能に支持される係止ローラ１２と、その係止ローラ１２を上向きに付勢する弾性体１３と、弾性体１３の反力を受ける反力受け部材１４とからなる。
【００５５】
ローラ支持枠１１は、平行配置の左右の側板１１ａと、両側板１１ａの下端を繋ぐ底板１１ｂとからなる。底板１１ｂは、レール３７の長手方向（以下では単にレール長手方向と言う）に切り離されており、側板１１ａのレール長手方向中央部には存在しない。
【００５６】
ローラ支持枠１１の側板１１ａのレール長手方向の中央部には、左右の側板１１ａの下端に開放して開放端から両側板１１ａの上端近くまで垂直に延びるガイド溝１５（図２、図４、図５参照）が位置を対応させて設けられている。
【００５７】
係止ローラ１２は、スリーブ状の中空ローラであり、支軸１６に間接的に支持されて左右の側板１１ａ間に組み込まれている。
【００５８】
図示の弾性体１３は、図９に示したねじりコイルばねである。この弾性体（ねじりコイルばね）１３のコイル部１３ａに係止ローラ１２が回転可能に外嵌され、前記コイル部１３ａに支軸１６が通されている。
【００５９】
支軸１６は、図５、図６に示すように、弾性体（ねじりコイルばね）１３のコイル部１３ａの内側に挿通されており、コイル部１３ａを貫通した両端がガイド溝１５にスライド自在に挿入されている。
【００６０】
このため、係止ローラ１２が上下に動くと、係止ローラ１２の穴を貫通している支軸１６と一緒にねじりコイルばねのコイル部１３ａが上下動する。
【００６１】
反力受け部材１４は、側板１１ａを側方から見た図２、図５において、ガイド溝１５を境にして２個が対称位置に配置されている。例示の反力受け部材１４は、スプリングピンであり、そのスプリングピンが側板１１ａに設けたピン孔１１ｃに圧入されて左右の側板１１ａ間に横架されている。
【００６２】
弾性体（ねじりコイルばね）１３の両端は、図５、図６からわかるように、前記反力受け部材１４に受け支えられている。
【００６３】
このために、コイル部１３ａが押し下げられると、弾性体１３が弾性変形して弾性復元力を生じ、その弾性復元力により、係止ローラ１２が押し下げ力を受けなくなった時点で元の位置に復帰する。
【００６４】
弾性体１３は、ローラアセンブリ１０の簡素化と小型化を考えると、例示のねじりコイルばねが好ましいが、そのねじりコイルばねに限定されるものではない。
【００６５】
ねじりコイルばねに代えてコイルスプリングを採用し、図１６に示すように、支軸１６と一緒に上下動するリテーナ１７を設け、そのリテーナ１７とローラ支持枠１１の底板１１ｂとの間に弾性体１３（コイルスプリング）を介在する構造も考えられる。
【００６６】
反力受け部材１４は、図７、図８に示すように、側板１１ａに対して上下動可能に取り付けられていてもよい。
【００６７】
図７、図８に示したローラアセンブリ１０は、ローラ支持枠１１の側板１１ａのガイド溝１５を境にした対称位置に、側板１１ａの上縁に開放する縦溝１１ｄを設け、その縦溝１１ｄに反力受け部材１４の両端を上下動可能に挿入している。
【００６８】
図７、図８のローラアセンブリ１０に採用した反力受け部材１４は、両端が小径、両端を除く部位は縦溝１１ｄの溝幅よりも大径の段付きピンである。この段付きピンで弾性体１３（図のそれはねじりコイルばね）の両端を受け支えている。
【００６９】
この図７、図８のローラアセンブリ１０は、図１〜図６のローラアセンブリでは必須の反力受け部材（スプリングピン）の圧入工程を必要としない。
【００７０】
図１及び図１０〜図１４に示したローラ受け具２０は、特許文献１の制動部材と同様の働きをする部材であり、レール長手方向の両端部に、相反する向きに傾いた斜面２０ａ、２０ｂ（図１０〜図１２、図１４参照）を有する。また、水平面に対して僅かに傾いた底面２０ｃを有する。
【００７１】
戸車ユニット３１は、図１に示すように、扉３０の戸先側（図の扉は右側）と戸尻側（図の扉は左側）の上部にそれぞれ設けられている。この戸車ユニット３１は、図２、図３に示すように、戸車支持枠３２と、戸車（車輪）３３と、戸車の位置調整機構を内蔵したハウジング３４を組み合わせて構成されている。
【００７２】
戸車支持枠３２は、平行配置の左右の側板３２ａと、その左右の側板３２ａの下端を連結する底板３２ｂとで構成された正面視形状がＵ字状の枠である。
【００７３】
左右の側板３２ａは、レール３７（図１、図１０〜図１５参照）の長手方向に対して直角向きに突出する支軸３５を外面に備えており、その支軸３５に戸車３３が支持されている。支軸３５は、左右の側板３２ａの前後に各２個設けられており、そのために、戸車３３は、１個の戸車ユニット３１に計４個存在する。
【００７４】
レール３７は、図１５に詳しく示すように、左右の側壁３７ａと、その左右の側壁３７ａを繋ぐ頂壁３７ｂと、左右の側壁３７ａの下端に連設された内向き張出し部３７ｃと、その内向き張出し部３７ｃの突端に設けられる軌条３７ｄとからなる下向き開口のレールであり、軌条３７ｄ上を戸車３３が走行する。
【００７５】
図示の軌条３７ｄは、突条であるが、戸車３３の転動面が凸円弧のときには、その凸円弧の転動面を受け入れる凹円弧の溝が設けられる。
【００７６】
ローラアセンブリ１０は、図２、図３に示すように、戸先側の戸車ユニット３１が備えている戸車支持枠３２の内側にローラ支持枠１１を嵌め、底板１１ｂを戸車支持枠３２の底板３２ｂに締結ねじＦｓで固定して戸車ユニット３１上に取り付けられている。
【００７７】
ローラ受け具２０は、図１に示すように、２個が位置を変えてレール３７の内部に設けられている。
【００７８】
その２個のローラ受け具２０のうちの一方は、扉３０が完全に閉じたときにローラアセンブリ１０の係止ローラ１２が係合して引き留められる位置（図１では上框３８ａの右端付近）に設置される。
【００７９】
また、もう一方は、扉３０が最大に開いたときにローラアセンブリ１０の係止ローラ１２が係合して引き留められる位置（図１では上框３８ａの中間点付近）に設置される。
【００８０】
その２個のローラ受け具２０が備える底面２０ｃの傾きの方向は、図１１と図１４から判るように、相反する向き、かつ、係止ローラ１２が係合して引き留められる側で高さが減少する向きになっている。
【００８１】
その底面２０ｃの傾斜角は極めて小さい。例えば５°以下に設定されている。その傾斜角は、２〜３°程度でよい。
【００８２】
２個のローラ受け具２０は、同一形状・同一サイズのものを相反する向きに取り付けている。そのために、扉３０が閉じる方向に移動して係止ローラ１２がローラ受け具２０を乗り越えるときの抵抗と、扉３０が開く方向に移動して係止ローラ１２がローラ受け具２０を乗り越えるときの抵抗がほぼ等しくなり、扉を閉じるときと開くときの力加減と操作感が殆ど差の無い安定したものになる。
【００８３】
例示の跳ね返り防止装置１は、扉３０が完全に閉じられる直前にローラアセンブリ１０の係止ローラ１２が、レール３７の戸先側の端部近辺に取り付けられたローラ受け具２０の斜面２０ａに接し、図１１に示すように、弾性体１３を弾性変形させてローラ受け具２０の最大高さ部（底面２０ｃが下向きに最大に突出した部位）まで押し下げられる。
【００８４】
この位置まで移動した係止ローラ１２は、ローラ受け具２０の底面２０ｃが傾斜しているため、底面２０ｃ上を転がり降りる。
【００８５】
そして、斜面２０ｂに乗り移ったところで弾性体１３の弾性復元力により上向きに押し戻され、扉３０が完全に閉じられた位置で図１２に示すように、斜面２０ｂに係合する。その係合によって係止ローラ１２の逆行が阻止され、これにより、扉３０の全閉位置での跳ね返りが防止される。
【００８６】
扉３０が開かれるときにも閉鎖時と同様の動作によって扉３０の跳ね返りが防止される。扉３０が全開したときの係止ローラ１２のローラ受け具２０に対する係合状態を図１４に示す。
【００８７】
係止ローラ１２は、扉３０が閉じきったときには、図１の右側のローラ受け具２０に係合し、扉３０が開ききったときには、図１の左側のローラ受け具２０に係合する。
【００８８】
例示の跳ね返り防止装置１は、構造が簡素でコンパクトであり、既設の上吊り引戸にも、簡単に追設することが可能である。
【００８９】
また、係止ローラ１２の付勢を線材で形成された弾性体１３を用いて行え、係止ローラ１２の変位によって弾性体１３に無理な負荷がかかることもないので、寿命にも優れ、長期の使用に耐えるものを提供することが可能である。
【００９０】
なお、この発明の跳ね返り防止装置は、図１７に示すように、戸車３３Ａが扉３０の下部に取り付けられ、その戸車３３Ａが敷居上に敷設された第１のレール３９ａ上を転動する下荷重式の引戸にも採用することができる。
【００９１】
その下荷重式の引戸については、ローラアセンブリ１０Ａを扉３０の上部に好ましくは埋め込む状態にして取り付け、さらに、戸枠３８の上框３８ａの下面に溝付き係止ローラが嵌って転動する第２のレール３９ｂを設け、溝付き係止ローラが転動して乗り越える２個のローラ受け具２０Ａを第２のレール３９ｂに固定する。
【００９２】
ローラアセンブリ１０Ａは、既述のローラアセンブリ１０の係止ローラ１２を溝付き係止ローラに置き代えたものが好ましい。また、ローラ受け具２０Ａは、既述のローラ受け具２０の斜面と底面を溝付き係止ローラが嵌まる凸円弧の面にしたものが好ましい。
【符号の説明】
【００９３】
１          引戸の跳ね返り防止装置
１０，１０Ａ  ローラアセンブリ
１１        ローラ支持枠
１１ａ      側板
１１ｂ      底板
１１ｃ      ピン孔
１１ｄ      縦溝
１２        係止ローラ
１３        弾性体
１３ａ      コイル部
１４        反力受け部材
１５        ガイド溝
１６        支軸
１７        リテーナ
２０，２０Ａ  ローラ受け具
２０ａ，２０ｂ  両端の斜面
２０ｃ      底面
３０        扉
３１        戸車ユニット
３２        戸車支持枠
３２ａ      側板
３２ｂ      底板
３３，３３Ａ  戸車
３４        ハウジング
３５        支軸
３７        レール
３７ａ      側壁
３７ｂ      頂壁
３７ｃ      内向き張出し部
３７ｄ      軌条
３８        戸枠
３８ａ      上框
３９ａ      第１のレール
３９ｂ      第２ノレール
４０        移動板
４１        揺動中心
４２        車輪
４３        制動部材
４３ａ        斜面
４４        スプリング
Ｆｓ        締結ねじ
【図１】
2020041372.tif 000003
【図２】
2020041372.tif 000004
【図３】
2020041372.tif 000005
【図４】
2020041372.tif 000006
【図５】
2020041372.tif 000007
【図６】
2020041372.tif 000008
【図７】
2020041372.tif 000009
【図８】
2020041372.tif 000010
【図９】
2020041372.tif 000011
【図１０】
2020041372.tif 000012
【図１１】
2020041372.tif 000013
【図１２】
2020041372.tif 000014
【図１３】
2020041372.tif 000015
【図１４】
2020041372.tif 000016
【図１５】
2020041372.tif 000017
【図１６】
2020041372.tif 000018
【図１７】
2020041372.tif 000019
【図１８】
2020041372.tif 000020